(57)【要約】【課題】  利用者の吉方情報とあらかじめ登録された場所情報の閲覧サービスを提供することで利用者の行動先の決定を支援する。【解決手段】  吉方位検索判定部１３は、住所、生年月日から成る利用者情報を取り込み、気学による利用者の大吉方、吉方を自動的に得て、あらかじめ登録済みの店舗、施設等、場所に関連するデータから、吉方にあるデータを出力する。また、吉方位をアイコン表示し、更に、吉方位を他と区別して出力する。【選択図】      図２
2005332256.tif 000002
【特許請求の範囲】
【請求項１】
利用者情報を取得する利用者情報取得部と、
利用者情報に基づき利用者の九星と十二支を判定する九星・十二支判定部と、
時期、もしくは場所の入力を促し、当該入力ならびに前記判定結果に基づき、九星・十二支データベースを参照して吉方位検索判定を行う吉方位検索判定部と、
前記吉方位検索判定結果、ならびに検索された前記吉方位にある場所の情報を出力する検索情報出力部と、
を具備することを特徴とする気学による行き先検索システム。
【請求項２】
前記検索情報出力部は、
前記利用者情報取得部で取り込まれる時期情報で検索した場合、前記吉方位検索判定部による検索判定結果を元に対象年月の吉方位をアイコン表示し、更に、その検索判定結果を元に吉方位となる場所情報の一覧表示を行うことを特徴とする請求項１に記載の気学による行き先検索システム。
【請求項３】
前記検索情報出力部は、
前記利用者情報取得部で取り込まれる場所情報で検索した場合、前記吉方位検索判定部による検索判定結果を元に現在の吉方位をアイコン表示し、また、判定結果を元に吉方位となる時期情報を一覧表示することを特徴とする請求項１に記載の、学による行き先検索システム。
【請求項４】
前記検索情報出力部は、
大吉方と吉方位にある場所にリンクした関連情報を出力することを特徴とする請求項１〜３のいずれか１項に記載の気学による行き先検索システム。
【請求項５】
前記検索情報出力部は、
前記アイコン表示に際し、大吉方と吉方位を、他と区別して出力することを特徴とする請求項２または３に記載の気学による行き先検索システム。
【請求項６】
インターネット接続環境を持つ端末により閲覧され、九星・十二支データベースから出力される吉方位を検索出力する、気学による行き先検索方法であって、
前記端末を介して利用者情報を取得するステップと、
前記利用者情報に基づき利用者の九星と十二支を判定するステップと、
時期、もしくは場所の入力を促し、当該入力ならびに前記判定結果に基づき、前記九星・十二支データベースを参照して吉方位検索判定を行うステップと、
前記吉方位検索判定結果、ならびに検索された前記吉方位にある場所の情報を出力するステップと、
を有することを特徴とする気学による行き先検索方法。
【発明の詳細な説明】
【技術分野】
【０００１】
本発明は、気学による行き先検索システムおよび方法に関する。
【背景技術】
【０００２】
様々な目的で行動先を探す場合多くの検索システムが知られている。例えば、カーナビゲーションシステムにおける目的地、施設検索等もその一つである（例えば、特許文献１参照）。
【特許文献１】特開２００３−２２２５２６号公報
【発明の開示】
【発明が解決しようとする課題】
【０００３】
しかしながら、任意の人物の大吉方を選択肢、その方位にある登録された目標を表示して行動先の決定を支援するシステムは存在しない。
「気学」は、自然の直理を研究し、大気の陣道に導く方法を教える学問であり、全てが、陰陽、五行、九気、十二支、十幹によって判断される。また、生年月日と住所により開運の場所を知ることができ、年の吉方と月の吉方の両方が重なる月が大吉方となる。家からの距離は近くから遠くに至る全てに良く、遠ければ遠いほど強い運がとれ、この大吉作用をしっかりとるためには３泊４日以上過ごすことが良いとされている。
【０００４】
本発明は、上記した気学により利用者の大吉方、吉方を得、その方位にある、例えば、レストラン、劇場、レジャー施設等、あらかじめ登録された目標の閲覧サービスを提供する環境を構築することで、利用者の行動先の決定を支援する、気学による行き先検索システムを提供することを課題とする。
【課題を解決するための手段】
【０００５】
上記した課題を解決するために本発明の気学による行き先検索システムは、利用者情報を取得する利用者情報取得部と、利用者情報に基づき利用者の九星と十二支を判定する九星・十二支判定部と、時期、もしくは場所の入力を促し、当該入力ならびに前記判定結果に基づき、九星・十二支データベースを参照して吉方位検索を行う吉方位検索判定部と、前記吉方位検索判定結果、ならびに検索された前記吉方位にある場所の情報を出力する検索情報出力部と、を具備することを特徴とする。
【０００６】
また、本発明において、前記検索情報出力部は、前記利用者情報取得部で取り込まれる時期情報で検索した場合、前記吉方位検索判定部による検索判定結果を元に対象年月の吉方位をアイコン表示し、更に、その検索判定結果を元に吉方位となる場所情報の一覧表示を行うことを特徴とする。
【０００７】
また、本発明において、前記検索情報出力部は、前記利用者情報取得部で取り込まれる場所情報で検索した場合、前記吉方位検索判定部による検索判定結果を元に現在の吉方位をアイコン表示し、また、判定結果を元に吉方位となる時期情報を一覧表示することを特徴とする。
【０００８】
また、本発明において、前記検索情報出力部は、大吉方と吉方位にある場所にリンクした関連情報を出力することを特徴とする。
【０００９】
また、本発明において、前記検索情報出力部は、前記吉方位のアイコン表示に際し、吉方と吉方位を、他と区別して出力することを特徴とする。
【００１０】
また、本発明は、インターネット接続環境を持つ端末により閲覧され、九星・十二支データベースから出力される吉方位を検索出力する、気学による行き先検索方法であって、前記端末を介して利用者情報を取得するステップと、前記利用者情報に基づき利用者の九星と十二支を判定するステップと、時期、もしくは場所の入力を促し、当該入力ならびに前記判定結果に基づき、前記九星・十二支データベースを参照して吉方位検索判定を行うステップと、前記吉方位検索判定結果、ならびに検索された前記吉方位にある場所の情報を出力するステップと、を有することを特徴とする。
【発明の効果】
【００１１】
本発明によれば、利用者は、例えば、住所、生年月日から成る利用者情報を入力するだけで、気学による利用者の大吉方、吉方を自動的に得ることができ、また。あらかじめ登録済みの店舗、施設等、場所に関連するデータから、吉方にあるデータを自由に閲覧することができ、このことにより、利用者の行動先の決定を支援することができる。
また、大吉方と吉方位をアイコン表示することで、また、大吉方と吉方位を他と区別して出力することでＧＵＩ（Graphical User Interface）の改良をはかり、更に、場所にリンクした関連情報を出力することで利用者に利便性を与えることができ、いずれも行動先決定のための一助となる。
【発明を実施するための最良の形態】
【００１２】
以下、図面を使用して本発明実施形態について詳細に説明する。図１は、本発明における気学による行き先検索システムのシステム構成の一例を示す図である。
図１において、符号１は、行き先検索サーバであり、利用者が所持するインターネット接続環境を持つ携帯端末２（携帯電話）、あるいはＷｅｂ（World Wide Web）端末３（パソコン）とは、ＩＰ（Internet Protocol）網４を介して接続される。
なお、図１中、行き先検索サーバ１の左右の円は、十二支を示している。これは、行き先検索サーバ１が持つデータベース（ＤＢ）に九星と共にデータとして登録されている。
【００１３】
図２に、行き先検索サーバ１の内部構成が機能展開され示されている。行き先検索サーバ１は、利用者情報取得部１１と、九星・十二支判定部１２と、吉方位検索判定部１３と、検索情報入力取込部１４と、検索情報出力部１５と、九星・十二支ＤＢ１６と、施設・場所ＤＢ１７で構成される。
利用者情報取得部１１は、利用者が携帯端末２、またはＷｅｂ端末３を操作することにより入力される、住所、生年月日に関する情報を取得して九星・十二支判定部１２へ供給する。九星・十二支判定部１２は、取得した利用者情報に基づき利用者の九星と十二支を判定する機能を持ち、その判定結果は、吉方位検索判定部１３へ供給される。吉方位検索判定部１３には、他に、検索情報入力取込部１４により取り込まれる検索条件入力が供給され、また、九星・十二支ＤＢ１６、施設・場所ＤＢ１７が接続されている。
【００１４】
ここでは、利用者に、検索条件となる時期、もしくは場所の入力を促し、当該入力に関し検索条件入力取り込み部１４を介して取り込み、また、九星・十二支判定部１２出力である判定結果に基づき、九星・十二支ＤＢ１６、施設・場所ＤＢ１７を参照して吉方位検索、ならびにその方位にある施設・場所の検索を行う。ここで、検索された結果は、検索情報出力部１５により、ＩＰ網４経由で要求のあった、携帯端末２、あるいはＷｅｂ端末３に出力される。
なお、検索情報出力部１５は、吉方位検索判定結果、ならびに検索された吉方位にある場所の情報を出力する他に、大吉方と吉方位にある場所にリンクした関連情報を出力することも可能であり、このとき、大吉方と吉方位を、色やブリンク表示等、強調表示して他と区別して出力する。
【００１５】
図３、図４は、本発明の気学による行き先検索システムの動作を説明するために引用したフローチャートであり、図５〜図７は、そのときに携帯端末２あるいはＷｅｂ端末３に表示される画面構成の一例を示す図である。
以下、図３〜図７を参照しながら、図１、図２に示す本発明実施形態の動作について詳細に説明する。
【００１６】
まず、利用者は、携帯端末２あるいはＷｅｂ端末３を操作することにより、行き先検索サーバ１が設置されているサイトをアクセスする。この結果、携帯端末２あるいはＷｅｂ端末３に表示されるトップページ（図５の吉方検索エンジン）に、住所、生年月日、氏名等の利用者情報を入力する（図３のＳ２１）。図５に示されるように、住所入力については住所検索機能が付加され、少ないタッチで自宅の入力が可能なように操作性上の配慮されている。郵便番号入力による方法でも良い。
ここで入力された情報は、行き先検索サーバ１の利用者情報取得部１１で取り込まれ、九星・十二支判定部１２に供給される。九星・十二支判定部１２では、先に取り込まれた利用者情報から利用者の九星と十二支を判定し、吉方位検索判定部１３へ供給する（Ｓ２２）。
【００１７】
吉方位検索判定部１３では、吉方位を検索するにあたり、その検索方法を選択する（Ｓ２３）。ここでは、時期、もしくは場所により検索する場合を想定し、前者の場合は検索する年月日（良い日時）を（Ｓ２４）、後者の場合は検索する場所（良い場所）の住所を入力する（Ｓ２６）。図５、図６にそのための入出力画面がそれぞれ示されている。ここで入力された情報はいずれも検索情報入力取込部１４によって取り込まれ、吉方位検索判定部１３により、それぞれ、対象年月の吉方位が判定（Ｓ２５）、対象となる場所の吉方位となる時期が検索され判定される（Ｓ２７）。
ここでの検索判定は、九星・十二支判定部１２出力である判定結果に基づき、九星・十二支ＤＢ１６、施設・場所ＤＢ１７を参照することにより実行される。
【００１８】
ここで、時期で検索した場合、検索情報出力部１５は、吉方位検索判定部１３による検索判定結果を元に対象年月の吉方位を図で表示し（図４のＳ２８）、また、判定結果を元に吉方位となる場所情報の一覧表示を行う（Ｓ２９）。ここでは、都道府県、市町村の単位で一覧表示される。図６にその画面構成の一例が示されている。ここでは、方位、場所名、緯度経度、距離、住所等、場所に関する詳細情報も表示される（Ｓ３０）。また、それぞれに、その場所に存在する施設情報等、更なる詳細情報がリンクされており、適当な場所をクリックすることによりその詳細情報を表示することも可能である。
なお、上記した検索の終了後、継続して検索を行う場合は、吉方位検索判定部１３で検索情報入力取込部１４によって取り込まれた指定条件、例えば、対象年月、ジャンル、距離、方位、キーワード等により絞込みを行い（Ｓ３１）、Ｓ２５以降の処理を繰り返す。そして、時期の検索を終了する場合は、更に全ての検索終了を確認して吉方位判定処理を終了する。検索を継続する場合は、Ｓ２３以降の処理を繰り返し実行する。
【００１９】
一方、場所で検索した場合、検索情報出力部１５は、吉方位検索判定部１３による検索判定結果を元に現在の吉方位を図表示し（Ｓ３３）、また、判定結果を元に吉方位となる時期情報を一覧表示する（Ｓ３４）。図７にその画面構成の一例が示されている。なお、大吉方位、吉方位の表示は、アイコン（図中円）で示されており、更に、大吉方位、吉方位は、色やブリンク等で強調表示されることで他と区別して表示されている。ここでは、その模様をハッチングで示している。このことにより、ＧＵＩの改善がはかれ、見た目に判別が可能となる。
なお、上記した検索の終了後、継続して検索を行う場合は、Ｓ２６以降の処理を繰り返し、そして、場所の検索を終了する場合は、更に全ての検索終了を確認して（Ｓ３６）吉方位判定処理を終了する。検索を継続する場合は、Ｓ２３以降の処理を繰り返し実行する。
【００２０】
以上説明のように本発明は、利用者は、例えば、住所、生年月日から成る利用者情報を入力するだけで、気学による利用者の大吉方、吉方を自動的に得るものであり、また、あらかじめ登録済みの店舗、施設等、場所に関連するデータから、吉方にあるデータを自由に閲覧することができるものである。このことにより、利用者の行動先の決定を支援することができる。
また、大吉方と吉方位をアイコン表示することで、また、大吉方と吉方位を他と区別して出力することでＧＵＩの改善をはかり、更に、場所にリンクした関連情報を出力することで利用者に利便性を与えることができ、いずれも行動先決定のための一助となる。
【図面の簡単な説明】
【００２１】
【図１】本発明のシステム構成の一例を示す図である。
【図２】図１に示す行き先検索サーバの内部構成を機能展開して示したブロック図である。
【図３】本発明実施形態の動作を示すフローチャートである。
【図４】本発明実施形態の動作を示すフローチャートである。
【図５】本発明実施形態で用いられる画面構成の一例を示す図である。
【図６】本発明実施形態で用いられる画面構成の一例を示す図である。
【図７】本発明実施形態で用いられる画面構成の一例を示す図である。
【符号の説明】
【００２２】
１…行き先検索サーバ、２…携帯端末、３…Ｗｅｂ端末、４…ＩＰ網、１１…利用者情報取得部、１２…九星・十二支判定部、１３…吉方位検索判定部、１４…検索情報入力取り込み部、１５…検索情報出力部、１６…九星・十二支ＤＢ、１７…施設・場所ＤＢ
【図１】
2005332256.tif 000003
【図２】
2005332256.tif 000004
【図３】
2005332256.tif 000005
【図４】
2005332256.tif 000006
【図５】
2005332256.tif 000007
【図６】
2005332256.tif 000008
【図７】
2005332256.tif 000009